(57)【要約】【課題】発泡スチロール材料を用いることなく、全てを段ボール紙のみで構成し、使用後の後処理が環境に優しく、使用後の再使用、再生上も有利であり、環境上においても好ましく、外形がコンパクトで、保持が容易、確実な湾曲棒状ワークの収納装置を提供したい。【解決手段】全体が湾曲した棒状で、一端部が幅広であるワークを複数本並べて収納する収納装置１０で、段ボール製の基板部１１に設けられた段ボール製のワーク保持ブロックを備え、ワーク保持ブロックは、複数のワークの他端部を並置して１段で保持する並置保持ブロック２１，３１２，４１，５１と、該ワークの一端部の幅広端部を上下２段で保持する段積み保持ブロック６１とからなり、並置ブロックで複数のワークの他端部を平面内に並べて１段で保持するとともに、段積み保持ブロックで複数のワークの一端部の幅広端部を上下に分離して段積み保持するようにした。【選択図】　　　　図１
2004001835.tif 000002
【特許請求の範囲】
【請求項１】
全体が湾曲した棒状であって、一端部が幅広であるワークを複数本並べて収納する収納装置あって、
前記収納装置は、段ボール製の基板部に設けられた段ボール製のワーク保持ブロックを備え、
前記段ボール製のワーク保持ブロックは、前記複数のワークの他端部を並置して１段で保持する並置保持ブロックと、該ワークの一端部の幅広端部を上下２段で保持する段積み保持ブロックとからなり、
前記並置ブロックで前記複数のワークの他端部を平面内に並べて１段で保持するとともに、前記段積み保持ブロックで、前記複数のワークの一端部の幅広端部を上下に分離して段積み保持するようにした、
ことを特徴とする湾曲棒状ワークの収納装置。
【請求項２】
前記並置ブロックは、一端部に押さえ片を折り曲げ可能に備え、該押さえ片を折り曲げて並置ブロック上に並べた前記ワークの一部を上から押さえるようにしたことを特徴とする請求項１に記載の湾曲棒状ワークの収納装置。
【発明の詳細な説明】
【０００１】
【発明の属する技術分野】
本発明は、自動車のドリップモール等のように、一端部が幅広で湾曲した棒状のワークを収納、保持する段ボール紙製の収納装置に関するものである。
【０００２】
【従来の技術】
自動車のドリップモールは、樹脂等で成形され、一端部が幅広で、他端部が幅狭であって湾曲棒状をなし、複数のドリップモールを並置して収納する収納ケースとして、従来、特開平８−５８８７４号公報及び特開平８−１５６９９０号公報開示の技術がある。
【０００３】
特開平８−５８８７４号公報開示の技術は、複数本（５本）のドリップモールを両端部、中間部を含んで平行するように並べて発砲スチロール製の収納部材上に収納、保持するようにした構造である。
特開平８−１５６９９０号公報開示の技術は、段ボール製のベースシートに発泡スチロール製のワークホルダを係合し、複数本（５本）のドリップモールを両端部、中間部を含んで平行するように並べ、発砲スチロール製のワークホルダ上に収納、保持するようにした構造である。
【０００４】
【発明が解決しようとする課題】
以上の従来技術において、特開平８−５８８７４号公報の技術は、収納部材が発泡スチロール材なので、梱包、輸送後の処分において、廃棄に際し、焼却処分した場合の有毒ガス発生の問題、埋め立て場合は地中に長期にわたり残留し、埋め立て不適合等の点で環境上好ましくない。
また特開平８−１５６９９０号公報の技術においても、ベースシートは段ボール製ではあるが、ドリップモールを保持するワークホルダが発泡スチロール製なので、上記と同様の課題がある。
【０００５】
以上に加えるに、上記した従来技術は、ドリップモールの一端部が幅広であるが、幅広端部をそのまま同一面内に並べて並置しているので、幅狭端部側では収納部材の幅が小さくはなるが、幅広端部側では幅が大きくなる。
このため、収納部材や収納ケースの幅広端部を収納、保持する側の端部の幅が大きくなり、これを収納する梱包箱の外形が大きくなる。
また大きくなった分、収納部材や収納ケース、梱包箱の材料費がかさむこととなる。
【０００６】
本発明は、以上の課題を解決すべくなされたものである。
本発明の目的とする処は、自動車のドリップモール等のように、一端部が幅広で湾曲した棒状のワークを複数並べてスペース効率よく、確実に収納し、且つ収納装置の外形のコンパクト化を図り、従って、梱包状態の外形のコンパクト化、輸送効率等の効率化をも企図しうる収納装置を提供する。
また本発明の目的とする処は、発泡スチロール等の異種材料を用いることなく、全てを段ボール紙のみで構成可能とし、使用後の後処理が環境に優しく、使用後の再使用、再生上も有利であり、環境上においても好ましい湾曲棒状ワークの収納装置を提供する。
【０００７】
【課題を解決するための手段】
上記目的を達成するために請求項１は、全体が湾曲した棒状であって、一端部が幅広であるワークを複数本並べて収納する収納装置あって、収納装置は、段ボール製の基板部に設けられた段ボール製のワーク保持ブロックを備え、該段ボール製のワーク保持ブロックは、前記複数のワークの他端部を並置して１段で保持する並置保持ブロックと、該ワークの一端部の幅広端部を上下２段で保持する段積み保持ブロックとからなり、並置ブロックで複数のワークの他端部を平面内に並べて１段で保持するとともに、段積み保持ブロックで、複数のワークの一端部の幅広端部を上下に分離して段積み保持するようにしたことを特徴とする。
【０００８】
請求項１では、一端部が幅広の複数本の湾曲棒状ワークを、平行に並置して収納、保持するに際し、幅狭端部側は並置ブロックで平面内に並べて１段で保持するが、幅広端部側は、段積み保持ブロックで上下に分離して段積み状態で収納、保持するので、幅広端部側の幅は小さくなる。また段ボール紙製なので、環境上有利である。
【０００９】
請求項２は、請求項１において、並置ブロックは、一端部に押さえ片を折り曲げ可能に備え、該押さえ片を折り曲げて並置ブロック上に並べたワークの一部を上から押さえるようにしたことを特徴とする。
請求項２では、並置ブロック上に並べたワークの当該部分を、押さえ片を折り曲げて上から押さえるので、ワークを正確に、確実に保持することができる。
【００１０】
【発明の実施の形態】
本発明の実施の形態を添付図に基づいて以下に説明する。なお、図面は符号の向きに見るものとする。
図１は、収納装置を構成する部材の分解斜視図である。
収納装置１０を構成する部材は、四周に周壁２を起設した基板１１と、複数本のワークの一端部の細幅端部を平行して載せて平面内で支持する並置ブロック２１と、ワークの中間部を載せて平面内で支持する支持ブロック３１と、ワークの他の中間部を載せて平面内で支持する第１中間並置ブロック４１と、ワークの他の中間部を載せて平面内で支持する第２中間並置ブロック５１と、該複数本のワークの他端部の幅広端部を上下に分離して２段に支持する段積み保持ブロック６１とからなる。
図では段積み保持ブロック６１の下段のブロック６２を示している。
【００１１】
基板１１は段ボール紙で形成されており、平面視が前後方向に長い矩形をなし、四周に枠壁１２，１２，１３，１３を備え、両側の枠壁１２，１２は断面がボックス状の閉断面構造体を一部に含み、前後の枠壁１３，１３は板状である。
基板１１の内底面１１ａに鎖線で示したａ，ｂ，ｃ，ｄ，ｅは、前記各ブロック２１，３１，４１，５１及び６１をセットする位置を示し、またｂ１，ｃ１，ｄ１は、ブロック２１，３１，４１，５１の位置決め凹部である。
【００１２】
ところで図において１４は、基板１１の片側の側枠壁１２のセット位置ｅに近接してフラップ状に外方に折り曲げて延出した押さえ片である。
後述するように、複数本のワークの幅広端部を段積み保持ブロック６１上に上下２段に段積みし、収納、保持し、押さえ片１４を基板１１の内底面１１ａ方向に上から内側に折り曲げ、段積み保持ブロック６１上に載せて支持した幅広端部上に被せて保持する。
【００１３】
ワークの一端部の細幅端部を平行して載せて平面内で支持する並置ブロック２１は、図で明らかなように矩形の厚板状をなし、段ボール紙シートを折り畳み、重合して形成されており、上面２１ａは平坦である。
該並置ブロック２１は、矢印▲１▼に示したように基板１１の内底面１１ａの図の右側端部の手前のコーナー位置のセット位置ａ上にセットし、例えば接着剤で接着したり、両面テープ等で貼着し、固定する。
【００１４】
ワークの中間部を載せて平面内で支持する支持ブロック３１は、断面Ｌ形をなし、基板部３２の内側端部に起立片３３を一体に備え、基板部３２上には実施の形態では５個のＬ形の支持片３４…（…は複数を表す。以下同じ）を等差的に起立設置して備え、段ボール紙で形成される。
また基板部３２の外端部側には折り線３５を設け、折り線３５の外端部側の一部には、外方に延出する厚手の押さえ片３６を延設する。
以上の支持ブロック３１は、矢印▲２▼に示したように基板１１の内底面１１ａのセット位置ｂ上にセットし、位置決め凹部ｂ１で位置決めし、前記したと同様に接着剤で接着したり、両面テープ等で貼着し、固定する。
【００１５】
ワークの中間部を載せて平面内で支持する第１中間並置ブロック４１は、断面がＬ形で、基板部４２の外側端部に起立片４３を一体に備え、基板部４２は厚手で平坦であり、内端部側には折り線４３を備え、内端部側の一部には、内方に延出する厚手の押さえ片４４を延設して備え、段ボール紙で形成されている。
以上の第１中間並置ブロック４１は、矢印▲３▼に示したように基板１１の内底面１１ａのセット位置ｃ上にセットし、位置決め凹部ｃ１で位置決めし、前記したと同様に接着剤で接着したり、両面テープ等で貼着し、固定する。
【００１６】
ワークの中間部を載せて平面内で支持する第２中間並置ブロック５１は、平面視矩形で厚手の板状をなし、段ボール紙で形成されており、上面は平坦である。
矢印▲４▼に示したように基板１１の内底面１１ａのセット位置ｄ上にセットし、位置決め凹部ｄ１で位置決めし、前記したと同様に接着剤で接着したり、両面テープ等で貼着し、固定する。
【００１７】
ワークの幅広端部を上下に分離して２段に支持する段積み保持ブロック６１とは、後述するように上下２段のブロックからなり、各ブロックは段ボール紙で形成されている。
図では下段のブロック６２を示しており、３個の長短長さが異なる支持板部６３…を有する平面視が山形をなし、各支持板部６３…には等差的に係止穴６４を備える。
矢印▲５▼に示したように基板１１の内底面１１ａのセット位置ｄ上にセットし、セット位置ｅにセットし、前記したと同様に接着剤で接着したり、両面テープ等で貼着し、固定する。
【００１８】
図２は、前記した各ブロック２１，３１，４１，５１及びブロック６１の下段のブロック６２を基板１１上にセットし、一部のワークをブロック上に載せた状態を示す平面図である。、
ワーク１００は実施の形態では自動車用のドリップモールとし、本体１０１は湾曲した棒状であって、一端部が幅狭端部１０２とし、中間部１０３が緩やかなアール状の幅狭端部とし、他端部が大きく湾曲して幅広端部１０４とし、断面が略Ｕ形であって、幅広端部１０４の一側面には係止突起１０５を備える。
Ｕ形断面は、図の状態で中間部〜幅狭端部が溝が下向きで、中間部〜幅広端部が図の下方を溝が向き、全体として捩って形成されている。
係止突起１０５は、図２ではブロック６２側（基板１１側）を向いているので波線で表した。
【００１９】
以上のワーク１００…を、実施の形態では５本平行に並べて並置するもので、図では、先ず３本のワーク１００…を載置、保持させる。
即ち、図の最も下側のワーク１００Ａの幅狭端部１０２を端部を、基板１１の内底面１１ａの図の右側端部の手前のコーナー位置に配設した並置ブロック２１上の一側寄り部分に載せ、中間部１０３の湾曲部１０３ａを前記した支持ブロック３１上に臨ませ、５個のＬ形の支持片３４…の最も手前の支持片３４に下向きの溝を上から嵌合して係合保持させる。ワーク１００の中間部１０３の中央部１０３ｂは、第１中間並置ブロック４１の手前側の上面に載置し、中間部１０３の幅広端部寄り部分１０３ｄは、第２中間並置ブロック５１の手前側の上面に載置する。
【００２０】
幅広端部１０４は係止突起１０５を下向きとし、基板１１の図の左側下側コーナー部に配設した段積み保持ブロック６１の下段のブロック６２に臨ませる。
該下段ブロック６２に設けた３個の係止穴６４…のの内の最も外側に近い係止穴６４に該係止突起１０５を係合し、これにより、ワーク１００の一端部の幅広端部１０４は段積み保持ブロック６１に下段ブロック６２の外側より部分に載置され、保持されることとなる。
同様に図の上方（奥の）ワーク１００Ｃも同様に載置し、並置し、穴嵌合してセット、保持する。
【００２１】
３本のワーク１００Ａ，１００Ｂ，１００Ｃ、各ブロック２１，４１，５１に、各幅狭端部１０２…相互間、中間部１０３ｂ，１０３ｄ相互間に１本づつワークが並置して載置可能な間隔を開けて載置し、またＬ形の支持片３４…を備える支持ブロック３１上においても、同様に起立片３４…間に１本づつワークが並置して載置可能な間隔を開けて嵌合、係止する。
図では、３本のワークの内２本ブロック２１，３１，４１，５１，６２上にをセットし、中間部の１本のワーク１００Ｃをセットする状態を示し、矢印▲６▼のように２本の枠の中間部間にセットして保持させる。
【００２２】
図３は、図２の３−３線の拡大断面図、図４は、図２の４−４線の拡大断面図である。
図３で明らかなように、ワーク１００の幅広端部１０４の下面の係止突起１０５が、段積み保持ブロック６１に下段ブロック６２の係止穴６４に係合し、保持されている状態が理解できる。溝は側方を向いて配置されていることも理解できる。
図４で明らかなように、ワーク１００の中間部の部分１０３ａは、溝が下向きであり、支持板３１の起立片３４に上から嵌合して係合、保持されていることが理解できる。
【００２３】
図５は、残りのワークセットの説明的平面図である。
図２の状態におけるワーク１００の幅広端部１０４…上に段積み保持ブロック６１の上段ブロック６６を載置する。
上段ブロック６６は二股状で、２本の各支部板６６，６６に各１個、都合２個の係止穴６７，６７を備え、該上段ブロック６６を、３個の係止穴６４…を介して下段ブロック６２の上面に保持した並置せる３本のワーク１００…上に、矢印▲７▼で示したように載置する。
上段ブロック６６は端部に係止部６８を備え、これを基板１１周の前記押さえ片１４近傍の側枠壁１２に係合し、位置決め、保持する。
【００２４】
上段ブロック６５を、平行して並置した３本のワーク１００…（１００Ａ，１００Ｂ，１００Ｃ）の幅広端部１０４…上に載置、セットし、この上から残りの２本のワーク１００…（１００Ｄ，１００Ｅ）を載置するが、各ワーク１００Ｄ，１００Ｅの幅狭端部１０２、中間部１０３は、並置した他の３本のワーク１００Ａ，１００Ｂ，１００Ｃのそれぞれの間に配置する。
ところで、ワーク１００Ｄ，１００Ｅの幅広端部１０４は、３本のワーク１００Ａ，１００Ｂ，１００Ｃの幅広端部１０４…上の高さが一段高い上段のブロック６５上に並べて載置し、係止穴６７に係止突起１０５を嵌合し、係合、保持する。
【００２５】
以上説明した２本のワーク１００Ｄ，１００Ｅのセット状態を矢印▲８▼で示し、またセット、保持位置をワーク１００Ａ，１００Ｂ，１００Ｃ間において鎖線で示した。
以上により、５本のワーク１００Ａ〜１００Ｅを並置して収納、保持し、各ワークの幅狭端部１０２〜中間部１０３は同一平面内において平行して並置されるが、一端部の幅広端部１０４は、３本が下段ブロック６２に支持され、２本が下の３本のワーク間位置において上段ブロック６５に支持されることとなる。
これにより、上下２段の段積み保持ブロック６１を形成する。
【００２６】
図６は、幅広端部を保持した状態の図５の６−６線断面図である。
図で明らかなように、下段ブロック６２上に３本のワーク１００Ａ，１００Ｂ，１００Ｃの幅広端部１０４が離間して並置して載置され、係止突起１０５が係止穴６４に係合、保持されている。
ワーク１００Ａ，１００Ｂ，１００Ｃの幅広端部１０４の上に上段ブロック６５が載置され、上段ブロック６５は、係止部６８で基板１１周の押さえ片１４近傍の側枠壁１２に係合し、位置決め、保持されている。これにより、上下２段のブロックからなる段積み保持ブロック６１を理解することができるであろう。
【００２７】
ところで、図１、図２及び図５で示した押さえ片１４を基板１１側、従って段積み保持ブロック６１側に谷折りし、並置、保持された上段のワーク１００Ｄ，１００Ｅ上に被せ、粘着テープ等で押さえ片１４を固定することで、上から上下２段に並置、保持したワーク１００…の幅広端部１０４…を確実に押さえて保持することができる。
【００２８】
図７は、５本のワークを並置した状態を示す図５の７−７線断面図、図８は上記ワークを押さえつけ、保持した状態を示す図７と同様の断面図である。
図７に示すように、第１中間並置ブロック４１上に５本のワーク１００…の中間部１０３…を載置し、並置する。
爾後、同一平面内に並置した５本のワーク１００…のこの部分上に保護片４５を載せ、押さえ片４４を折り線４３から矢印のように谷折りし、該押さえ片４４を、保護片４５上からその下片４４ａが保護片４５と平行するように重ね合わせる。
【００２９】
ところで、実施の形態では、基板部４２の外側端部に起立片４３と押さえ片４４の上面４４ｂとの間に粘着テープ４６を貼り付け、押さえ片４４を固定する。
これにより、同一面内に並置したワーク１００…のこの部分は、基板部４２と押さえ片４４との間で上下から保持され、強固、確実に保持されることとなる。この状態を図８で示した。
【００３０】
図９は、５本のワークを並置した状態を示す図５の９−９線断面図、図１０は上記ワークを押さえつけ、保持した状態を示す図９と同様の断面図である。
図９に示すように、支持ブロック３１の起立した５本の支持片３４…上に溝を下向きにしてワーク１００…の中間部のこの部分が係合、支持され、５本のワーク１００…の中間部１０３…を係合して並置して保持している。
【００３１】
５本のワーク１００…のこの部分上に保護片３７を載せ、押さえ片３６を折り線３５から矢印のように谷折りし、該押さえ片３６を、保護片３７上からその下片３６ａが保護片３７と平行するように重ね合わせる。
ところで、実施の形態では、上記と同様に基板部３２の端部の起立片３３と押さえ片３６の上面３６ｂとのコーナー部間に粘着テープ３８をＬ形に貼り付け、押さえ片３６を固定する。
これにより、同一面内に並置したワーク１００…のこの部分は、基板部３２と押さえ片３６との間で上下から保持され、強固、確実に保持されることとなる。この状態を図１０で示した。
【００３２】
図１１は、収納装置１０の基板１１上に各並置ブロック２１，３１，４２，５１，及び段積み保持ブロック６１を介してワーク１００…を並置、保持した状態を示す平面図である。
図で明らかなように、実施の形態では５本のワーク１００…がそれぞれ平行して並置され、各ワーク１００…の一端部の幅狭端部１０２…、中間部の３カ所１０３ａ，１０３ｂ，１０３ｄはブロック弐拾壱，３１，４１，及び４５１で同一平面内で平行に並置されて保持される。
【００３３】
一方、他端部の幅広端部１０４…は、下段が下段ブロック６２により、この部分では下側に３本並置され、上段が上段ブロック６５により、この部分では２本上側に積層されて並置されることとなる。
従って、５本の幅広端部を横並びに同一平面内において並置する構成に対し、５本のワークの幅広端部をこの部分に集合させつつ小さな幅で足りることとなる。これにより、収納装置１０は、幅狭端部１０２…を集合させつつ収納した端壁１３ａの幅と幅広端部１０４…を集合させつつ収納した端壁１３ｂの幅を大きくなることがなく、端壁１３ａ，１３ｂは同じ幅とすることができる。
【００３４】
図１２は、上記したようにワーク１００…を並置、保持し且つ幅広端部を２段に段積み保持して収納した複数の収納装置１０…を、上下に積層状に段積みしてストックした状態を示す斜視図である。
図で明らかなように、収納装置１０…は前後で幅が同じであり、且つ幅も小さくてすみ、平坦であることから複数個段積みすることができる。
前記した収納装置１０の側枠壁１３の一側の端部に設けた押さえ片１４は、図で示したように内側に谷折りし、前記したようにワークの段積み保持した幅広端部上に重なり、上からこの部分を押さえつけ、幅広端部を保持する。
【００３５】
以上、図示下実施の態様を説明したが、ワークの本数は任意であり、またワークは自動車用のドリップモールに限られず、任意である。
また実施の形態では、収納装置を平面視が長方形の矩形としたが、例えば、一側方に湾曲するワークの中間部を除去し、平面視を凹形形状としても良い。
【００３６】
【発明の効果】
本発明は上記構成により次の効果を発揮する。
請求項１は、全体が湾曲した棒状であって、一端部が幅広であるワークを複数本並べて収納する収納装置あって、段ボール製の基板部に設けられた段ボール製のワーク保持ブロックを備え、段ボール製のワーク保持ブロックは、複数のワークの他端部を並置して１段で保持する並置保持ブロックと、ワークの一端部の幅広端部を上下２段で保持する段積み保持ブロックとからなり、並置ブロックで複数のワークの他端部を平面内に並べて１段で保持するとともに、段積み保持ブロックで、複数のワークの一端部の幅広端部を上下に分離して段積み保持するようにした。
【００３７】
請求項１では、一端部が幅広の複数本の湾曲棒状ワークを、収納装置に平行に並置して収納、保持するに際し、幅狭端部側は並置ブロックで平面内に並べて１段で保持するが、幅広端部側は、段積み保持ブロックで上下に分離して段積み状態で収納、保持するので、収納装置の幅広端部側の幅は小さくなる。
従って、収納装置の外形のコンパクト化が図れ、またこれを収納し、梱包する梱包箱等の梱包装置の外形もコンパクト化し、輸送やストックに際し、スペースが小さくてすむ他、収納装置の外形のコンパクト化により段ボール材の節約にも資する。
【００３８】
また本発明では、収納装置は発泡スチロール等の異種材料を併用することなく、段ボール紙のみを使用して構成したので、収納装置や構成部品の使用後おける処分等に際しても、焼却処分等が容易であり、環境に優しい処分が行え、環境上極めて有利であるとともに、使用後の再使用や再生も容易に行うことができ、省資源上も有利である。
【００３９】
請求項２は、請求項１において、並置ブロックは、一端部に押さえ片を折り曲げ可能に備え、該押さえ片を折り曲げて並置ブロック上に並べたワークの一部を上から押さえるようにしたことを特徴とする。
【００４０】
請求項２では、並置ブロック上に平行に並べたワークの並置ブロックの支持部分を、並置ブロックに延設した押さえ片を折り曲げて上から押さえるので、ワークのこの部分を正確に、確実に保持することができる。
また押さえ片は、段ボール紙製の並置ブロックに付設するので、別途押さえ部材を必要とすることがなく、部品点数を増やすことなくワークの効果的な押さえ機構を形成することができ、また並置ブロック上にワークを並べ、押さえ片を折り曲げるだけなので、収納、保持、押さえ作業が極めて容易でもある。
【図面の簡単な説明】
【図１】収納装置を構成する部材の分解斜視図
【図２】各ブロックを基板上にセットし、一部のワークをブロック上に載せた状態を示す平面図
【図３】図２の３−３線の拡大断面図
【図４】図２の４−４線の拡大断面図
【図５】残りのワークセットの説明的平面図
【図６】幅広端部を保持した状態の図５の６−６線断面図
【図７】５本のワークを並置した状態を示す図５の７−７線断面図
【図８】図７のワークを押さえつけ、保持した状態を示す断面図
【図９】５本のワークを並置した状態を示す図５の９−９線断面図
【図１０】図９のワークを押さえつけ、保持した状態を示す断面図
【図１１】収納装置の基板上に各並置ブロック及び段積み保持ブロックを介してワークを並置、保持した状態を示す平面図
【図１２】ワークを並置、保持し且つ幅広端部を２段に段積み保持して収納した複数の収納装置を、上下に積層状に段積みしてストックした状態を示す斜視図
【符号の説明】
１０…収納装置、　１１…基板部　２１，３１，４１，５１…並置ブロック、３６，４４…押さえ片、　６１…段積み保持ブロック、　６２…下段ブロック、　６５…上段ブロック、　１００…ワーク、　１０２…幅狭端部、　１０４…幅広端部。
【図１】
2004001835.tif 000003
【図２】
2004001835.tif 000004
【図３】
2004001835.tif 000005
【図４】
2004001835.tif 000006
【図５】
2004001835.tif 000007
【図６】
2004001835.tif 000008
【図７】
2004001835.tif 000009
【図８】
2004001835.tif 000010
【図９】
2004001835.tif 000011
【図１０】
2004001835.tif 000012
【図１１】
2004001835.tif 000013
【図１２】
2004001835.tif 000014